(57)【要約】【課題】種々の設備が設置された鉄道等の検査現場において信号保守検査を迅速且つ確実に実行可能にする信号保守検査支援方法およびシステムを提供する。【解決手段】ネットワーク５０を介して接続されたクライアントＰＣ３０、データベース部２０および携帯端末４０により信号保守検査支援システム１０が構成される。このシステム１０のデータベース部２０は、検査計画部２１、設備情報部２２および検査部２３を含んでいる。検査員６５は、携帯端末４０を所持し、データベース部２０および設備６０から読み込んだデータに基づき、音声合成でヘッドセット６２からの指示に基づいて検査を実行する。【選択図】図６
2007065821.tif 000002
【特許請求の範囲】
【請求項１】
検査区間に設けられた複数の設備を検査員が保守検査するのを支援する保守検査支援方法において、
前記各設備の設備名、検査周期および検査範囲を含む検査データを用いて検査計画を立案するステップと、
前記立案された検査計画に基づくデータおよび前記設備のデータを携帯端末に読み込むステップと、
前記携帯端末からのデータを音声合成して前記検査員に合成音により指示するステップと、
前記合成音による指示に基づき検査員が検査した結果を音声認識するステップと、
前記認識結果を音声合成して音声合成音で出力するステップと、
前記音声合成音の出力結果を外部入力手段で確認するステップと、を備えることを特徴とする保守検査支援方法。
【請求項２】
前記携帯端末は、前記読み込まれた設備データを内部のデータと照合するステップを備えることを特徴とする請求項１に記載の保守検査支援方法。
【請求項３】
前記検査員が、前記合成音を聞き取れた場合および問い返し内容が正しい場合に前記外部入力手段を働かせ、聞き取れなかった場合および問い返し内容が間違っていた場合（誤認識）には再度合成音を出力するステップを備えることを特徴とする請求項１又は２に記載の保守検査支援方法。
【請求項４】
前記検査結果を前記携帯端末に記録するステップを備えることを特徴とする請求項１、２又は３に記載の保守検査支援方法。
【請求項５】
各種設備の保守検査に関するデータを格納するデータベース部と、
該データベース部に接続され、該データベース部のデータに基づき保守検査計画を立案する少なくとも１個のクライアントＰＣと、
該クライアントＰＣから前記保守検査計画されたデータおよび前記設備に取り付けられた電子タグの設備データを読み込む携帯端末と、
該携帯端末に読み込まれた前記検査計画に基づき合成音により検査員に指示するヘッドセットと、を備えることを特徴とする保守検査支援システム。
【請求項６】
前記検査員が、前記合成音の指示に応じて操作可能な外部入力手段を備えることを特徴とする請求項５に記載の保守検査支援システム。
【請求項７】
前記データベース部は、前記クライアントＰＣがアクセスして前記検査計画を立案する検査計画部、検査すべき設備データを保持する設備情報部および検査すべき項目を保持する検査部を含むことを特徴とする請求項５又は６に記載の保守検査支援システム。
【請求項８】
前記携帯端末内に検査結果の良否判別チェックおよび検査データを保持する手段を備え、前記データベース部にアップロードすることにより検査結果および良否結果を前記クライアントＰＣで確認可能にすることを特徴とする請求項５、６又は７に記載の保守検査支援システム。
【発明の詳細な説明】
【技術分野】
【０００１】
本発明は保守検査支援方法およびシステムに関し、特に検査員が鉄道等の設備保全のために、定期的に行う検査業務を確実に実行可能にする保守検査支援方法およびシステムに関する。
【背景技術】
【０００２】
従来の保守検査は、検査区間毎の検査種類の計画を立て、この計画に基づき検査を行っている。この従来方式は、先ず検査区間の対象検査設備を検査員が洗い出し、検査が必要であるか過去の検査結果等から人力で判断し、検査が必要であるなら対応する検査表（紙ベース）を実際に検査の現場に持っていき、検査内容に沿って検査を実施し、検査結果を検査表に記入している。収集した検査結果は、検査計画者が対応設備のチェック、検査日、検査データの精査を行い検査計画に反映させている。
【０００３】
この従来方式は、次の如き幾つかの課題又は欠点を有する。第１に、検査計画の検査区間に存在している対応設備と対応設備内で検査必要設備が何であるかの確認が必要であり、検査区間の検査必要設備を全て検査できたか又は検査漏れがないかの確認が必要である。第２に、検査対象設備の検査物を確実に検査ができたか否か疑問である。第３に、検査データの記入ミスはないのか、検査データの良否判別をする精査の段階でのミスはないか疑問である。第４に、検査は正しい方法で実行されたか否か疑問である。
【０００４】
これらの課題を解決するために、測定検査対象設備に読み書き可能なＩＣタグを取り付けて、携帯端末を検査測定ツールとして以前に書き込んだデータと今回測定した検査データの整合性を比較して検査対象設備と検査内容を確認している。また、以前の検査データとの整合性を確認することにより、検査データの良否判別の判別基準の一部としている（例えば、特許文献１参照。）。
【０００５】
この設備データおよび検査データを、設備検査管理データベースおよび設備に取り付けられた読み書き可能なＩＣタグによる管理の二重の管理により管理する方法が知られている。これにより、上述した第２および第３の課題は解決できるが、第１および第４の課題が解決できない。また、検査データ入力方法に対しては明記されていないが、単に検査データを画面で確認しているとなると、昼間の時間帯の検査においては可能と考えられるが夜の検査や日中の日差しが強い検査の時には検査員の負担は大きいものと考えられる。
【０００６】
更に、音声認識および音声合成を搭載して検査を実施する方法として、音声入力により最終的な登録も「ＯＫ」等の発話でコントロールする方法も知られている（例えば、特許文献２参照。）。
【０００７】
【特許文献１】特開２００３−１３２１６７号公報（第４−５頁、第１図）
【特許文献２】特開平１１−２２８０４７号公報（第２−３頁、第１図）
【発明の開示】
【発明が解決しようとする課題】
【０００８】
しかし、上述の如き従来技術は、何れも上述した少なくとも４つの課題の一部分のみしか解決できず、これらの課題の全てを解決することはできない。また、上述の如く音声入力方法によると、実際の検査現場の大きな騒音（ノイズ）による誤認識又は誤解等のエラーが生じる虞がある。
【０００９】
本発明は、従来技術の上述した課題に鑑みなされたものであり、上述した複数の課題の全てを解消又は軽減する保守検査支援方法およびシステムを提供することを目的とする。
【課題を解決するための手段】
【００１０】
前述の課題を解決するため本発明による保守検査支援方法およびシステムは次のような特徴的な構成を採用している。
【００１１】
（１）検査区間に設けられた複数の設備を検査員が保守検査するのを支援する保守検査支援方法において、
前記各設備の設備名、検査周期および検査範囲を含む検査データを用いて検査計画を立案するステップと、
前記立案された検査計画に基づくデータおよび前記設備のデータを携帯端末に読み込むステップと、
前記携帯端末からのデータを音声合成して前記検査員に合成音により指示するステップと、
前記合成音による指示に基づき検査員が検査した結果を音声認識するステップと、
前記認識結果を音声合成して音声合成音で出力するステップと、
前記音声合成音の出力結果を外部入力手段で確認するステップと、を備える保守検査支援方法。
（２）前記携帯端末は、前記読み込まれた設備データを内部のデータと照合するステップを備える上記（１）の保守検査支援方法。
（３）前記検査員が、前記合成音を聞き取れた場合および問い返し内容が正しい場合に前記外部入力手段を働かせ、聞き取れなかった場合および問い返し内容が間違っていた場合（誤認識）には再度合成音を出力するステップを備える上記（１）又は（２）の保守検査支援方法。
（４）前記検査結果を前記携帯端末に記録するステップを備える上記（１）、（２）又は（３）の保守検査支援方法。
（５）各種設備の保守検査に関するデータを格納するデータベース部と、
該データベース部に接続され、該データベース部のデータに基づき保守検査計画を立案する少なくとも１個のクライアントＰＣと、
該クライアントＰＣから前記保守検査計画されたデータおよび前記設備に取り付けられた電子タグの設備データを読み込む携帯端末と、
該携帯端末に読み込まれた前記検査計画に基づき合成音により検査員に指示するヘッドセットと、を備える保守検査支援システム。
（６）前記検査員が、前記合成音の指示に応じて操作可能な外部入力手段を備える上記（５）の保守検査支援システム。
（７）前記データベース部は、前記クライアントＰＣがアクセスして前記検査計画を立案する検査計画部、検査すべき設備データを保持する設備情報部および検査すべき項目を保持する検査部を含む上記（５）又は（６）の保守検査支援システム。
（８）前記携帯端末内に検査結果の良否判定チェックおよび検査データを保持する手段を備え、前記データベース部にアップロードすることにより検査結果および良否結果を前記クライアントＰＣで確認可能にする上記（５）、（６）又は（７）の保守検査支援システム。
【発明の効果】
【００１２】
本発明の保守検査支援方法およびシステムによると、次の如き実用上の顕著な効果が得られる。即ち、検査区間、対応設備、検査周期および検査範囲等は、データベース部に所定のフォーマットで格納され、クライアントＰＣを介して携帯端末に読み込まれ、設備情報（データ）もＩＣタグ等により携帯端末に読み込まれる。従って、検査員は、ヘッドセットから合成音による指示に基づいて検査を実行して、結果を外部入力手段の一例であるスイッチで入力することにより、設備保全業務の検査を容易、迅速且つ確実に検査を行うことが可能である。
【発明を実施するための最良の形態】
【００１３】
以下、本発明による保守検査支援方法およびシステムの好適実施形態の構成および動作を、添付図面を参照して詳細に説明する。
【００１４】
先ず、図1は、本発明による保守検査支援システムの好適実施例のシステム構成図である。この保守検査支援システム１０は、データベース部２０、複数のクライアントＰＣ（パーソナルコンピュータ）３０ａ〜３０ｄ（以下、これら複数のクライアントＰＣを総称する場合には、参照符号３０を使用する）およびＰＤＡ(Personal
Digital Assistant)等の携帯端末４０により構成される。
【００１５】
ここで、データベース部２０は、検査計画部２１、設備情報部２２および検査部２３で構成されている。また、データベース部２０および複数のクライアントＰＣ３０は、社内ＬＡＮ等のネットワーク５０に接続されている。
【００１６】
これらのクライアントＰＣ３０は、データベース部２０の検査計画部２１にアクセスして検査計画を立案する。この検査計画に基づいて検査計画部２１は、検査すべき「設備データ」を設備情報部２２に、検査計画で計画された「期間データ」を検査部２３にデータ伝送する。また、設備情報部２２は、「設備データ」に「固有情報データ」を付加して検査部２３にデータ伝送する。そして、検査部２３では、検査計画された内容に対しての検査対象設備と検査期間および設備固有情報を付加して検査すべき「検査項目」を明確にした検査部２３の「検査表ひな型データ」を保持することが可能となる。
【００１７】
この検査部２３のデータにクライアントＰＣ３０がアクセスして「検査期間」、「検査設備」および「検査すべき検査項目データ」を確認する。この信号保守検査支援システム１０により、クライアントＰＣ３０の検査実施者は、検査計画を意識することなく、「検査対象設備」、その「検査項目」および「検査期間」を把握することが可能となる。
【００１８】
次に、クライアントＰＣ３０のデータをＰＤＡ等の携帯端末４０にデータ転送させて検査を実行する。検査実行後は、携帯端末４０のメモリ（又は記憶部）内に良好な設備と不良な設備がデータとして分類されているので、クライアントＰＣ３０にデータをアップロードすると、検査結果の良否結果が自動に判別されたデータがＰＣ３０の画面に表示される。この検査結果をデータベース部２０に登録すると、その検査部２３に検査結果のデータが登録され、検査計画部２１に検査実績として反映される。
【００１９】
次に、図２を参照して具体的な検査例を説明する。図２（Ａ）は、設備６０にＩＣタグ等の読み取り可能な電子タグ６１が取り付けられている。この電子タグ６１には設備固有情報のデータが登録されていて、検査の際に検査タグ６１に、例えば図１に示す携帯端末４０をかざし、電子タグ６１の設備固有情報および携帯端末４０の設備固有情報を携帯端末４０内部で比較して検査対象設備および検査項目を明らかにさせて携帯端末４０で検査を実行する。これにより、「検査対象設備」および「検査項目」の整合性が明確になる。
【００２０】
一方、図２（Ｂ）は、音声検査の具体例を示す図である。音声入力可能なマイクロホンが搭載されていて且つ携帯端末４０から出力される音声を聞き取るためのスピーカ機能が搭載されているヘッドセット６２、携帯端末４０および音声認識した結果の登録機能等のためのスイッチ４１を使用する。
【００２１】
検査スタート時には、検査対象設備６０の検査名称を音声合成音で出力し、検査員６５がその内容でよければスイッチ４１を押し検査を行い、この時点を検査実施日として判定する。設備６０の保守検査は、携帯端末４０およびヘッドセット６２を介して音声誘導で行われるので、検査漏れがないのが特徴である。
【００２２】
次に、保守検査を具体例で説明すると、音声合成音で「電圧値はいくつですか？」と携帯端末４０からヘッドセット６２のスピーカ部に出力する。これに対して検査員６５が「１０ボルト」と発話すると、携帯端末４０の内部で判定値内のデータであるか否かを照合し、検査対象設備の検査結果が良好であったのか不良であったかを携帯端末４０内部でデータ分類する。保守検査では、一定の検査区間があるのが一般的である。この検査区間に各種の設備６０が存在している。また、同じ（タイプ又は種類の）設備６０が各検査区間に存在するのが一般的である。データベース部２０の検査計画部２１には、この「検査区間」、その検査区間に存在している「設備」およびその設備に必要な「検査周期」のデータを関連付けしている。
【００２３】
図３は、検査計画部２１のデータの具体例を示す。図３（Ａ）は、「検査区間」およびその「対応設備」を示す。この具定例では、検査区間（１）〜（３）がある。そして、検査区間（１）には、対応設備Ａ、Ｂ、Ｃ、Ｄ、ＥおよびＦを有する。検査区間（２）には、対応設備Ａ、ＢおよびＤを有する。また、検査区間（３）には、対応設備ＡおよびＧを有する。従って、対応設備Ａは、検査区間（１）、（２）および（３）の全てに存在している。また、対応設備Ｂは、検査区間（１）および（２）に存在する。同様に、対応設備Ｄは、検査区間（１）および（２）に存在する。そして、対応設備Ｇは、検査区間（３）のみに存在する。
【００２４】
次に、図３（Ｂ）は、対応設備Ａ〜Ｇの「検査周期」の具体例を示す。この具体例では、対応設備ＡとＤ〜Ｇとは、検査周期が同じａ、ｂおよびｃである。また、対応設備Ｂの検査周期はａであり、対応設備Ｃの検査周期はｃである。換言すると、図３（Ｂ）から明らかな如く、設備Ａ〜Ｇは、設備維持のために検査周期が決められており、例えば設備Ａを維持するためには、検査周期ａ、ｂおよびｃの検査を必要とする。
【００２５】
図３（Ｃ）は、「検査区間」、「検査周期」および「検査範囲」を例示する。ここで、図３（Ｃ）に示す具体例では、検査計画者は、検査区間（１）における検査周期aの検査を、ある検査範囲、例えば４／１〜５／３０で検査し、一方、検査区間（２）における検査周期ａの検査は、検査範囲６／１〜７／３１で検査する計画を立案する。
【００２６】
図３（Ａ）および図３（Ｂ）に示す如き「データテーブル」を検査計画部２１に持って検査計画を立案することで、検査区間（１）の検査周期aの検査が必要な設備で検査を何時までに実行しなければならないかを、この保守検査支援システムで把握可能である。このように計画を立てることで、検査必要設備を検査周期内で実施するよう検査社内ＬＡＮ等のネットワーク５０を介して電子メール等で検査引用のクライアントＰＣ３０に促すことが可能である。
【００２７】
次に、データベース部２０の設備情報部２２では、各設備Ａ〜Ｇの固有番号である「設備固有番号」をデータとして管理している。この設備固有情報は、同じ機能を持つ設備Ａでも異なる固有の番号である。図４は、この設備固有情報の具体例を示す。図４（Ａ）は、検査区間１の設備Ａの設備固有情報が「１１１」であることを示す。一方、図４（Ｂ）は、検査区間２の設備Ａの設備固有情報が「２２２」であることを示す。この具体例に示す如く、同じ設備Ａでも「１１１」と「２２２」の如く異なる設備固有情報として管理している。
【００２８】
一方、検査部２３では、設備Ａ〜Ｇ毎および検査周期毎の検査項目および検査合格範囲を明確にした音声検査ひな型をデータテーブルで保有する。図５（Ａ）は、「対応設備」Ａ〜Ｇとこれらの「検査表ひな型」の具体例を示す。検査計画を立案して検査する場合には、図５（Ｂ）の如く、設備固有情報（例えば、「１１１」、検査表ひな型（例えば、Ａａ）および検査範囲（例えば、４／１〜５／３０）のデータを持つ形式となり、このデータを携帯端末４０にダウンロードして検査を行う。
【００２９】
次に、図６は、音声誘導検査を行う際の本発明による検査手順を示すフローチャートである。このフローチャートは、以下に詳述する如く、ステップＡ１〜Ａ７は、検査実行前の設備情報の確認と検査範囲確認までの処理のフローチャートである。他方、ステップＢ１〜Ｂ１４は、実際の検査手順を示すフローチャートである。
【００３０】
先ず、検査実施に際し、携帯端末４０のスイッチボタン４１を押す（ステップＡ１）。これにより、検査設備６０に取り付けられている電子タグ（ＩＣタグ）６１を携帯端末４０で読み取る（ステップＡ２）。この設備データと携帯端末４０内のデータ、即ち設備固有情報を照合する（ステップＡ３）。そして、検査内容を携帯端末４０内の音声合成手段（図示せず）により音声合成して音声（即ち、合成音）で出力する（ステップＡ４）。例えば、検査区間（１）の設備Ａの固有情報を携帯端末４０が読み取ると、携帯端末４０内のデータと比較して音声合成音で「検査区間（１）の設備Ａの検査周期ａの検査を実施します」と合成音で出力される。尚、携帯端末４０とヘッドセット６２間は、有線又は無線で接続されている。
【００３１】
次に、検査設備が正しいか否か判断する（ステップＡ５）。検査内容が良い場合（ステップＡ５：Ｙｅｓ）には、検査員はスイッチボタン４１を押す（ステップＡ６）。他方、検査内容が聞き取れなないか又は検査内容が違っている場合（ステップＡ５：Ｎｏ）には、何もしない（スイッチボタン４１を押さない）と再度初期状態に戻るので、上述したステップＡ２へ戻り、上述した動作を繰り返す。スイッチボタン４１を押すと、携帯端末４０内の検査範囲と携帯端末４０内の内部時刻とを照合する（ステップＡ７）。以上の手順（ステップＡ１〜Ａ７）を踏むことにより、検査すべき設備の確認、検査範囲と検査項目チェックが自動的に行われる。
【００３２】
次に、図６のステップＢ１〜Ｂ１４に基づき、実際の検査手順を説明する。先ず、検査内容の合成音が出力される（ステップＢ１）。この音声合成による音声は、例えば、「設備Ａの右下にある変圧器の２次側電圧をショートさせないように交流電圧計で測定してください。」と詳細の検査方法のガイダンスが可能である。
【００３３】
一般的な、検査表ではこのような場合に「変圧器２次側電圧」という項目だけがあり、実際の測定に際して、どのような計測器で測定するのか又は注意すべき点は何であるのか分からないという問題がある。しかし、音声ガイダンスに基づき検査を実施することにより作業性が改善できる。
【００３４】
次に、検査員６５は、この合成音が聞き取れたか否かを判断する（ステップＢ２）。合成音が聞き取れなかった場合（ステップＢ２：Ｎｏ）には、何もせずに初期状態になるのを待つ（即ち、ステップＢ１へ戻る）。他方、音声合成音が聞き取れて試験内容が確認できた場合（ステップＢ２：Ｙｅｓ）には、スイッチボタン４１を押す（ステップＢ３）。
【００３５】
その後、携帯端末４０では音声認識処理状態に展開する。この例の場合には、数値認識辞書を呼び出し、認識待ち状態になる（ステップＢ４）。例えば、検査員６５が「１００」と発話すると、認識処理を実行し、実行した結果を問い返し合成音で出力する（ステップＢ５）。
【００３６】
問い返し内容が発話内容と一致しているか否か検査員が確認する（ステップＢ６）。一致している場合（ステップＢ６：Ｙｅｓ）には、スイッチボタン４１を押す（ステップＢ７）。他方、検査員が誤認識をして、一致してない場合（ステップＢ６：Ｎｏ）には、何もしないでいるとタイムアウト処理を実行して、上述したステップＢ１へ戻り、検査内容の合成音から再度始める。
【００３７】
ここで、スイッチボタン４１を押す（ステップＢ７）と、携帯端末４０内のデータ領域に前記データがセットされる（ステップＢ８）。データがセットされると、携帯端末４０内の検査表ひな型の検査合格範囲データと比較処理し、データ値が判定値内であるか否か判断する（ステップＢ９）。データ値が判定値内である場合（ステップＢ９：Ｙｅｓ）には、良登録データ処理を行う（ステップＢ１０）。他方、判定値外である場合（ステップＢ９：Ｎｏ）には、否登録データ処理が実行される（ステップＢ１１）。ステップＢ１０の後、設備Ａに他の検査があるか否か判断する（ステップＢ１２）。検査手順に続きがない場合（ステップＢ１２：Ｎｏ）には、検査終了処理を行ない、例えば「検査を終了します」との合成音を出力し検査終了を明らかにする（ステップＢ１３）。他方、検査項目がまだある場合（ステップＢ１２：Ｙｅｓ）には、スイッチプッシュを行い（ステップＢ１４）、ステップＢ１へ戻る。そして、上述したステップＢ１〜ステップＢ１４の検査手順を繰り返し実行して検査項目の終了になるまで音声検査を実施する。
【００３８】
このように、検査手順を、図６の音声検査処理フローチャートに示す如く実行することにより、検査ミスおよび検査項目抜けは確実に防止可能である。また、画面操作および画面確認作業なしで一連の検査を実施できる。斯かる検査の特徴として、スイッチを使った各種確認の作業である。上述した特許文献２に記載の如くスイッチではなく、音声入力により最終的な登録も「ＯＫ」等の発話でコントロールする方法も提案されているが、この方式による認識率を図７に示す。図７において、横軸は問い返し数（回数）であり、縦軸は認識率（％）である。図７に示す実際の検査現場で信号保守に使われる言語で認識グループを作成して認識率を調査した結果からも分かるように、音声認識は１００％ではなく、1回目認識率は７０〜８０％程度に過ぎない。
【００３９】
もし、鉄道の保守検査現場で「ＯＫ」という言葉でコントロールしようとすると、７０〜８０％位、即ち１０回の検査項目のうち７〜８回は検査が「ＯＫ」という言葉で良好にコントロールできるが、２〜３回は「ＯＫ」という言葉自体を誤認識してしまって間違ったデータを登録してしまう虞があることを示している。しかし、本発明では、上述の如くスイッチ４１を使うことにより、誤認識による誤作動の防止をするという特徴を有する。また、この図７が示す如く、２回問い返し（即ち、３回やり直しの処理）を行えば、略１００％正確に認識可能であることが分かり、上述したフローチャートに従って検査を実行すれば違和感なく検査を実施することが可能である。
【００４０】
次に、図８は、上述した検査を実行した結果、携帯端末４０に追加されるデータの１例を示す。図1に示す携帯端末４０のデータをアップロードすることにより、クライアントＰＣ３０の画面で検査データの確認ができる。この最終確認の後、図８の検査日、収集検査データ、良否結果を検査部にデータ伝送して管理して、設備固有情報からの対応により、検査計画部２１の図３（Ｃ）の検査計画の実績に自動で対応させることが可能となる。従って、検査計画から検査データ収集までの一連の信号設備管理に対しての有効な信号保守検査支援システムが得られる。
【００４１】
以上、本発明による信号保守検査支援システムの好適実施例について詳述した。しかし、斯かる実施例は、本発明の単なる例示に過ぎず、何ら本発明を限定するものではないことに留意されたい。本発明の要旨や精神を逸脱することなく、特定用途に応じて種々の変形変更が可能であること、当業者には容易に理解できよう。
【図面の簡単な説明】
【００４２】
【図１】本発明による信号保守検査支援システムの好適実施例のシステム構成図である。
【図２】図１に示す信号保守検査支援システムの携帯端末による検査実行態様を示し、（Ａ）は設備情報の携帯端末への読み込み操作、（Ｂ）は検査の実行状態を示す図である。
【図３】図１に示す信号保守検査支緩システムを構成するデータベース部の検査計画部のデータ構造を示し、（Ａ）は検査区間と対応設備、（Ｂ）は対応設備と検査周期、（Ｃ）は検査区間、検査周期と検査範囲の具体例である。
【図４】図１に示す信号保守検査支援システムを構成するデータベース部の設備情報部のデータ構造を示し、（Ａ）および（Ｂ）はそれぞれ異なる検査区間の設備名と設備固有情報の具体例である。
【図５】図１に示す信号保守検査支援システムを構成するデータベース部の検査部のデータ構造を示し、（Ａ）は対応設備と検査表ひな型、（Ｂ）は設備固有情報、検査表と検査範囲である。
【図６】本発明の信号保守検査支援システムによる音声誘導検査処理のフローチャートである。
【図７】検査現場での信号保守における音声認識率を示す実験データを示すグラフである。
【図８】図１に示す信号保守検査支援システムの携帯端末内のデータ構造の具体例である。
【符号の説明】
【００４３】
１０  信号保守検査支援システム
２０  データベース部
２１  検査計画部
２２  設備情報部
２３  検査部
３０  クライアントＰＣ
４０  携帯端末
４１  スイッチ
５０  ネットワーク
６０  設備
６１  ＩＣタグ
６２  ヘッドセット
６５  検査員
【図１】
2007065821.tif 000003
【図２】
2007065821.tif 000004
【図３】
2007065821.tif 000005
【図４】
2007065821.tif 000006
【図５】
2007065821.tif 000007
【図６】
2007065821.tif 000008
【図７】
2007065821.tif 000009
【図８】
2007065821.tif 000010